【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
第１の外部装置から、表示用文書データと該表示用文書データに関連する関連データとを構成要素として有している文書を受信する文書受信手段と、
前記文書受信手段により受信した文書を文書保持部に保持する保持手段と、
前記文書受信手段により受信した文書の表示用文書データをイメージとして表示部に表示する表示手段と、
前記表示部に表示した表示用文書データに対応する関連データを、第２の外部装置に送信する送信手段とを有することを特徴とする画像表示装置。
【請求項２】
前記表示部に表示した文書のうちから、送信すべき文書を選択する選択手段を有し、
前記送信手段は、前記選択手段により選択された表示用文書データに対応する関連データを、前記第２の外部装置に送信することを特徴とする請求項１に記載の画像表示装置。
【請求項３】
前記表示用文書データに関連する関連データは、該表示用文書データに対応する送信用の元文書データであることを特徴とする請求項１又は２に記載の画像表示装置。
【請求項４】
前記表示用文書データは、全ての文書に関して共通のフォーマットであり、前記元文書データは、各文書に関して任意のフォーマットであることを特徴とする請求項３に記載の画像表示装置。
【請求項５】
前記表示用文書データは、全ての文書に共通のイメージデータであり、前記元文書データは、その文書を作成したアプリケーション固有の形式のデータであることを特徴とする請求項３に記載の画像表示装置。
【請求項６】
前記表示用文書データに関連する関連データは、該表示用文書データに対応する送信用の元文書の所在データであることを特徴とする請求項１に記載の画像表示装置。
【請求項７】
前記送信手段は、前記表示用文書データと、前記元文書の所在データとを合成したデータを送信することを特徴とする請求項６に記載の画像表示装置。
【請求項８】
前記送信手段は、前記選択手段で選択された文書が、前記関連データを含まない場合には、前記表示用文書データを代わりに送信することを特徴とする請求項２に記載の画像表示装置。
【請求項９】
前記選択手段で選択された文書の転送先を設定する設定手段を有し、
前記送信手段は、前記設定手段で設定された転送先の外部装置に前記関連データを送信することを特徴とする請求項２に記載の画像表示装置。
【請求項１０】
前記送信手段は、前記第２の外部装置に転送先情報も送信するとともに、前記送信した関連データを指定された転送先に、前記第２の外部装置からさらに転送させることを特徴とする請求項１に記載の画像表示装置。
【請求項１１】
使用中の操作者のパーソナライズデータを入手する入手手段を有し、
前記パーソナライズデータは、文書の好み情報を含み、前記表示手段は、前記保存手段に保存されている複数の文書の表示を、前記好み情報によりソートした順番で行なうことを特徴とする請求項１に記載の画像表示装置。
【請求項１２】
使用中の操作者のパーソナライズデータを入手する入手手段を有し、
前記パーソナライズデータは、文書のフィルタ情報を含み、前記表示手段は、前記保存手段に保存されている複数の文書のうち、フィルタ情報によりフィルタ処理された文書を表示することを特徴とする請求項１に記載の画像表示装置。
【請求項１３】
使用中の操作者のパーソナライズデータを入手する入手手段を有し、
前記パーソナライズデータは、文書の指向情報を含み、前記表示手段は、前記指向情報に基づいて選択した文書を表示することを特徴とする請求項１に記載の画像表示装置。
【請求項１４】
前記送信手段は、送信が許可されているかに応じて前記関連データの送信を行なうことを特徴とする請求項１に記載の画像表示装置。
【請求項１５】
各文書を構成する複数の要素のそれぞれに送信許可情報が設定され、前記送信手段は、各文書の各要素ごとに、送信が許可されているかどうかを判定することを特徴とする請求項１に記載の画像表示装置。
【請求項１６】
前記関連データの送信を行なう場合に、該関連データの送信が許可されておらず、対応する表示用文書データの送信が許可されている場合には、該表示用文書データを、前記関連データのの代わりに送信することを特徴とする請求項１５に記載の画像表示装置。
【請求項１７】
送信記録を第３の外部装置に通知する通知手段を有し、
前記通知手段により通知する送信記録は、送信先情報、送信した文書の識別情報、送信日時情報、画像表示装置の識別情報、送信時の場所情報、送信時の操作者情報のいずれかを含むことを特徴とする請求項１に記載の画像表示装置。
【請求項１８】
前記表示手段に表示された文書に対して書き込みを行なう書込手段と、
前記書込手段により書き込まれた書き込みデータを、文書の一つの要素として、文書の他の要素とは分離して保持する書き込みデータ保持手段とを有し、
前記送信手段は、前記関連データに加えて、前記書き込みデータも送信することを特徴とする請求項１に記載の画像表示装置。
【請求項１９】
操作者のパーソナライズデータを記憶した第３の外部装置の接続状態を判別する判別手段を有し、
前記書き込みデータ保持手段は、前記第３の外部装置が接続状態の際に保存した書き込みデータを、前記第３の外部装置が非接続状態になるとクリアすることを特徴とする請求項１８に記載の画像表示装置。
【請求項２０】
前記表示用文書データに関連する関連データは、該表示用文書データに対応する印刷用の文書データであることを特徴とする請求項１又は請求項２に記載の画像表示装置。
【請求項２１】
請求項１〜２０の何れか１項に記載の画像表示装置と通信可能な装置であり、
前記画像表示装置と通信する通信手段と、
前記画像表示装置の親機として機能して充電、文書の受信、文書の転送、もしくは、文書の印刷のうち少なくとも１つを行う手段を有することを特徴とする画像表示装置接続装置。
【請求項２２】
請求項１〜２０の何れか１項に記載の画像表示装置と、請求項２１に記載の画像表示装置接続装置と、を有することを特徴とするシステム。
【請求項２３】
第１の外部装置から、表示用文書データと該表示用文書データに関連するデータとを構成要素として有している複数の文書を受信する文書受信工程と、
前記文書受信工程により受信した複数の文書を文書保持部に保持する文書保持工程と、
前記文書受信工程により受信した文書の表示用文書データをイメージとして表示部に表示する画像表示工程と、
前記表示部に表示された表示用文書データに対応する関連データを、第２の外部装置に送信する文書送信工程とを有することを特徴とする画像表示方法。
【請求項２４】
第１の外部装置から受信した、表示用文書データと該表示用文書データに関連するデータとを構成要素として有している複数の文書を文書保持部に保持する文書保持工程と、
前記文書保持部に保持した文書の表示用文書データをイメージとして表示部に表示する画像表示工程と、
前記表示部に表示された表示用文書データに対応する関連データを、第２の外部装置に送信する文書送信工程とをコンピュータに実行させることを特徴とするコンピュータプログラム。
【手続補正２】
【補正対象書類名】明細書
【補正対象項目名】発明の名称
【補正方法】変更
【補正の内容】
【発明の名称】画像表示装置、画像表示装置接続装置、システム、画像表示方法及びコンピュータプログラム
【手続補正３】
【補正対象書類名】明細書
【補正対象項目名】０００１
【補正方法】変更
【補正の内容】
【０００１】
本発明は、画像表示装置、画像表示装置接続装置、システム、画像表示方法及びコンピュータプログラムに関し、例えば、回覧物の回覧等に使用される、複数の文書画像を表示可能な画像表示装置に関するものである。
【手続補正４】
【補正対象書類名】明細書
【補正対象項目名】０００８
【補正方法】変更
【補正の内容】
【０００８】
本発明は、回覧物等の書類の電子データを、簡単に入手できるようにすることを目的とする。
【手続補正５】
【補正対象書類名】明細書
【補正対象項目名】０００９
【補正方法】変更
【補正の内容】
【０００９】
本発明の画像表示装置は、第１の外部装置から、表示用文書データと該表示用文書データに関連する関連データとを構成要素として有している文書を受信する文書受信手段と、前記文書受信手段により受信した文書を文書保持部に保持する保持手段と、前記文書受信手段により受信した文書の表示用文書データをイメージとして表示部に表示する表示手段と、前記表示部に表示した表示用文書データに対応する関連データを、第２の外部装置に送信する送信手段とを有することを特徴とする。
【手続補正６】
【補正対象書類名】明細書
【補正対象項目名】００１０
【補正方法】変更
【補正の内容】
【００１０】
また、本発明の画像表示装置接続装置は、前記画像表示装置と通信可能な装置であり、前記画像表示装置と通信する通信手段と、前記画像表示装置の親機として機能して充電、文書の受信、文書の転送、もしくは、文書の印刷のうち少なくとも１つを行う手段を有することを特徴とする。
【手続補正７】
【補正対象書類名】明細書
【補正対象項目名】００１１
【補正方法】変更
【補正の内容】
【００１１】
また、本発明のシステムは、前記画像表示装置と前記画像表示装置接続装置とを有することを特徴とする。
【手続補正８】
【補正対象書類名】明細書
【補正対象項目名】００１２
【補正方法】変更
【補正の内容】
【００１２】
また、本発明の画像表示方法は、第１の外部装置から、表示用文書データと該表示用文書データに関連するデータとを構成要素として有している複数の文書を受信する文書受信工程と、前記文書受信工程により受信した複数の文書を文書保持部に保持する文書保持工程と、前記文書受信工程により受信した文書の表示用文書データをイメージとして表示部に表示する画像表示工程と、前記表示部に表示された表示用文書データに対応する関連データを、第２の外部装置に送信する文書送信工程とを有することを特徴とする。
【手続補正９】
【補正対象書類名】明細書
【補正対象項目名】００１３
【補正方法】変更
【補正の内容】
【００１３】
また、本発明のコンピュータプログラムは、第１の外部装置から受信した、表示用文書データと該表示用文書データに関連するデータとを構成要素として有している複数の文書を文書保持部に保持する文書保持工程と、前記文書保持部に保持した文書の表示用文書データをイメージとして表示部に表示する画像表示工程と、前記表示部に表示された表示用文書データに対応する関連データを、第２の外部装置に送信する文書送信工程とをコンピュータに実行させることを特徴とする。
【手続補正１０】
【補正対象書類名】明細書
【補正対象項目名】００１４
【補正方法】変更
【補正の内容】
【００１４】
本発明によれば、回覧物等の中に記載されている内容の電子データを簡単に取得可能にすることができるようになる。